(57)【要約】本発明は、ユーザデータ、詳細には、ユーザの好み又は評価を判断するシステムに関する。当該システムは、複数の移動端末装置（１）を有し、該移動端末装置（１）は、移動電話又は時計（７）のような移動可能な装置内に組み込まれることができ、グループのメンバによって担持される又は身に着けられる。移動端末装置（１）は、中央ユニット（２）とのワイヤレス通信を確立し、詳細には、メモリ（４）内に記憶されているユーザデータ、又はセンサ（５）を介して検出された現在のユーザデータを送信することができる。当該システムを、例えばディスコにおいて、使用する場合、来客者のお気に入りの音楽のジャンルと現在のプログラムに対する評価とが、判断され、考慮に入れられることができる。対応するセンサ（５）を介して、例えばユーザの動きのような、暗示的な評価の基準が、検出されることができる。
2006519540.tif 000002
【特許請求の範囲】
【請求項１】
ユーザデータ、特に、グループのユーザの好み及び／又はグループのユーザによる評価を判断するシステムであって、
―  所定のユーザデータのためのメモリと、現在のユーザデータのための検出手段と、ワイヤレス通信用のインターフェースとを有する少なくとも１つの移動端末装置；及び
―  前記移動端末装置とのワイヤレス通信用のインターフェースを有する中央ユニットであって、前記移動端末装置によって供給されるユーザデータを評価する、中央ユニット；
を有するシステム。
【請求項２】
前記移動端末装置は、前記インターフェースを介して前記現在のユーザデータの変化に関する情報を供給することを特徴とする、請求項１に記載のシステム。
【請求項３】
前記中央ユニットは、前記移動端末装置による質問の所定の定式を参照して、ユーザデータを要求することを特徴とする、請求項１又は２に記載のシステム。
【請求項４】
前記中央ユニットは、規定された空間範囲内の前記移動端末装置の存在及び／又は前記移動端末装置の空間位置を判断することを特徴とする、請求項１ないし３の何れか一項に記載のシステム。
【請求項５】
前記現在のユーザデータのための検出手段が、キーボード及び／又は音声認識システムを有することを特徴とする、請求項１ないし４の何れか一項に記載のシステム。
【請求項６】
前記現在のユーザデータのための検出手段が、好ましくは脈拍及び／又は皮膚抵抗であるユーザの身体パラメータに関する、少なくとも１つのセンサを有することを特徴とする、請求項１ないし５の何れか一項に記載のシステム。
【請求項７】
前記現在のユーザデータのための検出手段が、動きセンサを有することを特徴とする、請求項１ないし６の何れか一項に記載のシステム。
【請求項８】
前記メモリは、交換可能なチップカード上に設けられることを特徴とする、請求項１ないし７の何れか一項に記載のシステム。
【請求項９】
前記移動端末装置が、ユーザデータを、数０≦ｐ≦１として表現し、対応する確率ｐによって、２つの取り得るバイナリ値の一方を、前記インターフェースを介して送信することを特徴とする、請求項１ないし８の何れか一項に記載のシステム。
【請求項１０】
前記移動端末装置が、移動電話、腕時計、又は音楽を再生する装置内に組み込まれていることを特徴とする、請求項１ないし９の何れか一項に記載のシステム。
【請求項１１】
前記所定のユーザデータを入力するための入力装置を有することを特徴とする、請求項１ないし１０の何れか一項に記載のシステム。
【請求項１２】
前記端末装置は、前記ユーザに、自身の前記中央ユニットとの通信に関するフィードバックを与えることを特徴とする、請求項１ないし１１の何れか一項に記載のシステム。
【請求項１３】
前記中央ユニットは、それを介してユーザが詳細な質問を開始することができるユーザインターフェースを有することを特徴とする、請求項１ないし１２の何れか一項に記載のシステム。
【発明の詳細な説明】
【技術分野】
【０００１】
本発明は、ユーザデータであって、詳細には、グループの独立したユーザの好み及び／又はグループの独立したユーザによる評価を判断するシステムに関する。
【背景技術】
【０００２】
ドイツ国特許第３８  ３８  ８９２  Ａ１号明細書は、講演中、ユーザデータを判断するシステムであって、聴衆の間に分散された複数の移動端末装置と、中央ユニットとを有するシステムを記載している。前記聴衆は、前記移動端末装置を介して、前記中央ユニットに信号を送信することができ、該中央ユニットは、受信された該信号を、講演者に示す。前記受信された信号が、所定数を越えた場合、前記中央ユニットは、前記聴衆によって観察されることができる指示を作動させることもできる。前記システムは、前記聴衆による前記講演の評価に関する、講師へのフィードバックのために使用される。
【発明の開示】
【発明が解決しようとする課題】
【０００３】
しかしながら、前記システムは、所与の聴衆の好みに関する情報を、前記講師に提供しない。
【０００４】
本発明の目的は、ユーザデータを判断するシステムであって、グループのユーザの好み及び／又はグループのユーザによる評価の区別された判断の可能性を提供するシステムを提供することにある。
【課題を解決するための手段】
【０００５】
この目的は、添付の請求項１に規定されている特徴的なフィーチャを有するシステムによって解決される。有利な実施例は、従属請求項に規定されている。
【０００６】
詳細には、グループのユーザの好み及び／又はグループのユーザによる評価のような、ユーザデータを判断する当該システムは、
ａ）所定のユーザデータのためのメモリと、現在のユーザデータのための検出手段と、ワイヤレス無線及び赤外線等の通信用のインターフェースとを有する、少なくとも１つの移動（即ち、移動可能な）端末装置。当該システムは、好ましくは、グループのユーザの最大数のメンバ又は全てのメンバが、端末装置のようなものを備えることができるように、複数の前記移動端末装置を有する；
ｂ）端末装置とのワイヤレス通信用のインターフェースを有し、該端末装置によって供給されるユーザデータを評価する、中央ユニット。前記中央ユニットは、好ましくは対応する周辺装置を備える電子データ処理ユニット（コンピュータ）によって構成される；
を有する。
【０００７】
グループのユーザのデータの区別された検出（ｄｉｆｆｅｒｅｎｔｉａｔｅｄ  ｄｅｔｅｃｔｉｏｎ）が、上述のシステムによって実現可能である。前記端末装置の可動性、及び該端末装置と前記中央ユニットとの間のワイヤレス通信のために、ユーザ達は、動きの自由を制限されずに又は最小限に制限され、この結果、前記システムは、いつの間にか、静的な状況において所与の位置にいないユーザと共に使用されることもできる。例は、ダンス及びスポーツ行事、並びに公の祭りである。更に、前記端末装置は、所定の（静的な）ユーザデータと状況依存（可変）の現在のユーザデータとの両方を供給するためのメモリ及び検出手段によって適応化されるべきであることに留意されたい。記憶されているユーザデータへのフィードバックは、例えば、同じ状態のままであるユーザの好みを判断する可能性を提供し、該好みは、次いで、供給者、演者又は主催者によって目標にされ得る。現在のユーザデータの検出は、前記ユーザによる現在のプログラム又は現在の状況の評価の判断の可能性も提供し、この結果、主催者は、これらの評価に関するフィードバックを受信し、前記ユーザの要望に適応することができる。
【０００８】
当該システムの更なる実施例において、当該移動端末装置は、（前記検出手段によって検出される）現在のユーザデータの変化に関する情報を、前記中央ユニットがこれを知らされることができるように、前記インターフェースを介して提供することができる。このことは、一方では、前記中央ユニットは、例えば、現在のプログラムの評価のような更新されるユーザデータの常に使用することができ、他方では、この通信は、最小限に制限されることを保証する。
【０００９】
更に、前記中央ユニットは、伝送範囲内の前記移動端末装置による質問の所定の定式（ｆｏｒｍｕｌａｔｉｏｎ）を参照して、ユーザデータを要求することができる。このようにして、前記中央ユニットは、必要な場合に、主催者の現在のプログラムに関する判定（ｊｕｄｇｍｅｎｔｓ）を収集することができる。更に、前記中央ユニットは、前記端末装置内に記憶されているユーザデータを参照する場合、現在、自身の管轄内にいる前記ユーザの好みを判断することができ、この結果、これらのデータは、前記プログラムの次の編成に、最適に考慮に入れられることができる。例えば、ディスコの来客者によって好まれている音楽名及び／又は音楽のジャンルが、判断されることができ、この結果、対応する音楽が再生されることができる。
【００１０】
当該システムの更なる実施例によれば、前記中央ユニットは、規定された空間範囲内の移動端末装置の好み、及び／又は移動端末装置の空間位置を判断する。前記位置のこのような判断は、データ評価の更なる区別のために使用されることができる。例えば、異なる空間範囲は、異なる重要性を有し得て、この結果、これらの空間範囲内のユーザの数は、ユーザの好みに関する情報を提供する。例えば、ディスコにおいて、現在の音楽名の人気度が、ダンスフロア上に現在いる来客者の割合に基づいて、見積もられることができる。
【００１１】
現在のユーザデータを検出する手段を実施するためのいくつかの可能性が、利用可能である。前記検出手段は、例えば、ユーザが、それを介して積極的にデータを入力することができるキーボード及び／又は音声認識システムを有し得る。この場合、前記キーボードは、バイナリ情報（「はい／いいえ」又は「良い／悪い」等）を入力する可能性を提供するのみの場合で、既に十分であり得る。前記音声認識システムは、発話された命令を認識し、従ってこれらを変換するように、音声に結合されることができる。更に、ユーザによって表現された情報、音声データとして、前記中央ユニットに伝達することができ、該中央ユニットにおいて、これらは、更に評価されることができる。
【００１２】
更に、前記検出手段は、ユーザの身体パラメータに関する少なくとも１つのセンサを有することができる。身体パラメータとは、例えば、脈拍及び／又は皮膚抵抗であり得る。これらの値は、ユーザの活動及び感情状態に密接に関連しており、従って、現在の状況のユーザの判定に関する指示を与えるからである。この点に関して、ユーザに、積極的に又は意識的にこの目的のための入力を実施させることを強制することなく、前記判定が認識されることができることが、有利である。
【００１３】
更に、前記検出手段は、動きセンサを有することができる。ユーザの運動は、このセンサによって検出されることができ、該センサは、所与の場合において、現在の状況のユーザの判定に関する結論づけを可能にする。例えば、公の祭りの来客者は、本質的に、あちこち移動せずに又は自身の居場所を変えずに、興味のあるパフォーマンスに出席するのに対し、ディスコの来客者は、気に入っている音楽のタイトル対して、踊る、即ち様々な運動をすることにより、反応する。
【００１４】
前記移動端末装置のメモリは、好ましくは、交換可能なチップカード上に設けられる。この場合、記憶されているユーザデータは、異なる端末装置上で使用されることができる。特に、主催者は、来客者に端末装置を貸与することができ、該来客者は、自分のチップを、関連する前記端末装置に挿入することで、自分の個人的なユーザデータを供給する。
【００１５】
特に、中央ユニットの管轄内に、移動端末装置を有している多数のユーザが居る場合、通信接続は、大幅に頻繁なものになる。交換されるべき通信信号を、この状況において最小限に制限するように、前記移動端末装置は、例えば、開催者の現在のプログラムの判定のようなユーザデータを、０と１との間の数（小数（ｆｒａｃｔｕｒｅ））ｐ（即ち０≦ｐ≦１）として表現し、次いで、（例えば、乱数発生器によって制御されて）この数ｐに対応する確率によって、２つの取り得るバイナリ値（０又は１、はい又はいいえ等）の一方を、前記移動端末装置の前記インターフェースを介して、送信することができる。例えば、数０及び１が、バイナリ値として利用可能である場合、前記端末装置によって送信される信号の平均値又は期待値は、数ｐに厳密に対応する。これに従って多数の移動端末装置が、このように確率制御されている伝送を実施する場合、全ての端末装置に渡って平均された信号は、高い精度で、各端末装置によって計算された数ｐの、平均値に対応する。
【００１６】
当該システムの前記移動端末装置は、ユーザデータの想定される検出用に使用されるのみである独立の装置であり得る。しかしながら、前記移動端末装置は、好ましくは、他の移動可能な装置内に組み込まれ、これは、ユーザによってどのようにも担持されることができ、この結果、この装置のリソース（エネルギー供給、メモリ又はインターフェース等）に関与することができ、独立の物品としてユーザの負担になることがない。特に、当該移動端末装置は、このようにして、移動電話、腕時計、又は音楽を再生する装置（ＭＰ３、移動可能なラジオ、カセット及び／若しくはＣＤ装置等）内に組み込まれることができる。
【００１７】
当該システムは、所定のユーザデータを入力するための入力装置を更に有することができる。この場合、前記ユーザの好みが簡単に入力されることのできる、ロード局（ｌｏａｄ  ｓｔａｔｉｏｎ）が関係し得る。前記入力装置は、例えば、ディスコ内に若しくはＰＣ上に、及び／又はインターネット接続されて、配されることができる。
【００１８】
当該端末装置は、好ましくは、ユーザに、自身の前記通信ユニットとの通信に関するフィードバックを与える。例えば、情報が前記中央ユニットに送信されたことは、示されることができ、この結果、当該システムの使用が、再構築されることができる。
【００１９】
当該中央ユニットは、ユーザインターフェースであって、それを介して、ユーザが、例えば、質問を開始することができるユーザインターフェースを有する。
【発明を実施するための最良の形態】
【００２０】
前記ユーザインターフェースの更に有利である特徴的なフィーチャは、添付図面の記載において、説明される。
【００２１】
本発明のこれら及び他の見地は、本明細書に記載される実施例を参照して、明らかになるであろう。
【００２２】
当該システムは、２つの電子構成要素、即ち、移動端末装置１及び中央ユニット２を有する。移動端末装置１は、移動電話、ＭＰ３プレーヤ、又は、示されている腕時計７のような、他の移動可能な装置内に組み込まれることができる。当該システムを使用する場合、複数の一様な移動端末装置１が、グループの人のユーザ間に分散される。この図には、１つの移動端末装置１のみが示されており、これは、複数の移動端末装置１を表している。
【００２３】
当該システムは、本明細書において、ディスコ内で利用される例を用いて、説明される。しかしながら、記載される特徴的なフィーチャは、例えば、テレビショー、スポーツ行事、産業フェア、又は公の祭り等のような他の行事において、実現及び利用されることもできる。
【００２４】
移動端末装置１は、メモリ４と、センサモジュール５と、ワイヤレス通信信号を送信及び受信するインターフェース６とが結合されている、制御ユニット３を有する。インターフェース６を介して、移動端末装置１は、メモリ４内に記憶されている所定のユーザデータ、又はセンサモジュール５によって検出されたユーザデータを、中央ユニット２に知らせることができ、従って、該中央ユニットにおいて、これらは、評価されることができる。
【００２５】
端末装置１上の前記ユーザインターフェースは、ユーザフレンドリであって、簡潔であるべきである。当該システムの有用性をユーザに説明するように、制御ユニット３は、例えば、中央ユニット２に対する情報の発送を示すことにより、ユーザに、明示的な（ｅｘｐｌｉｃｉｔ）フィードバックを与えなくてはならない。
【００２６】
センサモジュール５は、ユーザ情報を取得するのに使用される。これは、特に、ユーザが、目標とされている情報を、それを介して入力することができるキーボード及び／又は音声認識システムを有し得る。例えば、ユーザは、気に入っている音楽のジャンル又はバンド（次いで、これは、音楽のジャンルを表す）のようなものを選択することにより、メモリ４内に記憶されるべき好みのプロファイルを入力することができる。更に、前記ユーザは、現在の音楽に関する簡単なバイナリの判定（良い／悪い）を、ディスクジョッキーにこの判定を知らせるように、キーボードを介して、与えることもできる。更に、キーボードのような入力ユニットを介して、メモリ４内に記憶されている情報（例えば、ユーザのお気に入りのタイトルの一覧）を選択し、このデータを、「ボタンを押下して」、中央ユニット２に（ディスクジョッキーへの要望として）転送することができる。
【００２７】
更に、センサモジュール５は、他のセンサであって、ユーザに、入力の積極的又は意識的な実施を強制することなく、評価インデックスの区別された検出の可能性を提供する他のセンサを備えることもできる。例えば、動き検出器（加速センサ）は、センサモジュール５に属し得て、この検出器によって、ユーザが元気に動き回っているかどうか、及びどれだけ元気に動き回っているかが、判断されることができる。ディスコにおいて、比較的元気なダンスの動きは、例えば、該ダンサー間における大熱狂の結末に至り得る。動きの現在の度合いは、前記ユーザに及び移動端末装置１が使用されている場所に調和する評価を得るように、動きの平均的な度合いと比較されるのが好ましい。
【００２８】
更に、センサモジュール５は、ユーザの活動又は感情状態に関する指示を与える脈拍又は皮膚抵抗（発汗）のような身体パラメータを検出する他のセンサを有することができる。
【００２９】
対応するインフラストラクチャと協動して、移動端末装置１は、例えば、ダンスフロアのような規定された領域における退場（ｌｅａｖｉｎｇ）及び／又は入場（ｓｔｅｐｐｉｎｇ  ｏｎ）を検出することもできる。
【００３０】
移動端末装置１のメモリ４は、好ましくは、交換可能なチップカード上に設けられ、これは、例えば、同時に、ディスコ用のクラブカードであることができる。次いで、記憶されているユーザプロファイルを有する前記のようなチップカードは、永続的なユーザデータが毎回再入力される必要が無いように、ディスコによって供給された貸与装置（ｌｏａｎ  ａｐｐａｒａｔｕｓ）にロードされることができる。更に、例えば、所与の音楽のジャンルを専門とするディスコが、ユーザの、自己のユーザプロファイル内に表現されているお気に入りの音楽のジャンルと調和する特別なタイトルを選択することによって、より正確な情報を与えることができるように、前記ディスコは、プロファイルの更なる詳細を、チップカード／ロード端末を介して、提供することもできる。
【００３１】
端末装置１の制御ユニット３は、センサモジュール５からの上述の情報とメモリ４内に記憶されているデータとから、例えば、中央ユニット２によって提供されている現在の音楽又は提案の現在の状況の評価を判断する。従って、前記のような提案は、これが実現される前に、ユーザがこれに気が付くことなく又はこれによって邪魔されることなく、主催者（ディスクジョッキー）によって試験されることができる。
【００３２】
中央ユニット３内で実行される評価プログラムは、簡単なバイナリ評価（良い／悪い）以上のことをすることができ、例えば、
―  知らない‐知っている（バンド、音楽のタイトルに関して、これが知られているかどうかの事実は、例えば、メモリ４内の前記ユーザプロファイル内のこれらの存在を参照することにより、判断される）；及び
−  好評‐無関心‐不評；ディスコ内の集団力学に関して、強い正の評価又は強い負の評価を有する音楽のタイトルは、評価の段階の中間におけるニュアンスよりも重要である）；
のような、様々な質問を定式化することにより、編成されることができる。
【００３３】
暗示的な（ｉｍｐｌｉｃｉｔ）判定の仕組みの場合、例えば、ダンスフロアを退場するようなできごとを検出し、所与の音楽を割り当てることができるように、端末装置１は、中央ユニット２からのサポートを、通常、必要とする。前記のようなサポートは、情報（例えば、新しい音楽に関する情報）を、放送を介して、全ての端末装置に供給することによって与えられることができる。代替的には、端末装置１自体は、対応する対話が行われる場合、中央ユニット２からの必要とされるデータを要求することもできる。
【００３４】
移動端末装置１と中央ユニット２との間の通信は、端末装置１及び中央ユニット２の両方から開始することができる。例えば、移動端末装置１は、中央ユニット２に、ユーザが評価キーを押下したこと又は暗示的評価パラメータ（動きの度合い等）が激しく変化したことから、現在の状況（音楽）の新しい評価がユーザによって表現されていることを、知らせることができる。逆に、中央ユニット２は、全ての端末装置に又はグループの端末装置１の所与の一部に対して質問し、例えば、現在の状況の評価の後又は質問の所与の定式を参照して、再生されるべき音楽のタイトルを提案することができる。
【００３５】
中央ユニット２による質問がなされた場合、計算負荷の分散及び帯域幅を最小限にする簡単な決定をするように、各端末装置１は、相対的な評価数ｐを、パーセントで計算し、次いで、信号情報のビットを、乱数発生器によってチェックされた確率ｐで、中央ユニット２に返信する。端末装置のフィードバックの相対的な数の期待値は、該端末装置の個々の評価数ｐの平均の値に対応する（該値は、前記中央ユニットに知らされない）。前記端末装置の閾値判定（ｔｈｒｅｓｈｏｌｄ  ｄｅｃｉｓｉｏｎ）によって制御されている前記端末装置のフィードバック（即ち、評価数ｐ＞５０％は、「はい」又は「応答を送信する」と扱われ、そうでない場合は、該端末装置は、応答しない）と比較して、多数の端末装置においての上述の確率的に制御されている伝送における分散は、小さい。例えば、全ての端末装置の評価数ｐがほぼ５１％である場合、前記閾値判定は、１００％の承認を模擬する（ｓｉｍｕｌａｔｅ）一方で、確率的な方法は、ほぼ正確な値を供給する。
【００３６】
中央ユニット２と端末装置１との間の通信に使用されるプロトコルは、操作される端末装置が、中央ユニット２に誤ったユーザデータを伝達することができないように、所与の最小限度の安全な仕組みを備えているのが好ましい。
【００３７】
当該システムによって必要とされる「ワイヤレス・インフラストラクチャ」は、中央ユニット２から端末装置１まで、及びその逆の、ワイヤレス通信信号の伝送を保証する。これは、所与の領域内の端末装置１の位置測定（ｌｏｃａｌｉｚａｔｉｏｎ）も保証する。これらの仕事は、２つの別個の技術（例えば、通信用のブルートュース（Ｂｌｕｅｔｏｏｔｈ）等、及び位置測定用のトランスポンダ技術）によって、引き継がれることができる。
【００３８】
前記端末装置の位置測定は、単に、所与の空間領域内（例えば、ダンスフロア、バー又はラウンジ）の居場所が判断されることができるような、比較的簡単なものであることができる。しかしながら、例えば、ダンスフロアの端に居る人であって、従って、ダンスするように簡単に促されることができる人が、大きい規模で、考慮に入れられることができるような、より正確で、連続的な位置の判断が、好ましくは可能である。次いで、当該システムは、例えば、ユーザの動きに基づいて、踊っている人と踊っていない人とを区別することができ、従って、ダンスフロアの「端」を動的に認識することができる。
【００３９】
開催者（ディスクジョッキー）がアクセス権を有している中央ユニット２は、モニタ１０と、キーボード又はマウスのような入力装置と、前記端末装置とのワイヤレス通信用のインターフェース８への接続とを備えるＰＣ９であり得る。
【００４０】
対応する位置測定の機能に関連して、例えば、全ての移動端末装置又はユーザが、部屋の地図上の点１１として、モニタ１０上に示されることができ、この結果、前記開催者は、実際の人に関する配置を作成することができる。
【００４１】
ユーザデータを得る及び評価するＰＣ９上で走らされるソフトウェアは、典型的には、「ローカルエリア」、「グループの人」、「アクション（例えば、ダンスフロアへの入場）」、及び「提案（例えば、音楽のタイトル）」のような、語を使用する。前記ソフトウェアは、前記開催者が、これらの語による非常に簡単な仕方で、自身に関連する質問、例えば、ディスコにおいて、「どんな音楽（提案）が、バー（ローカルエリア）におけるグループを、ダンスフロアに入場（アクション）させることができるか？」という質問の定式化を、明らかにすることができる。関連する前記ソフトウェアに関する本質的な要素は、類似関係又はジャンル割当ての定義であって、原型の前記定義は、通常、所与の音楽ジャンルに対して十分なものである。
【００４２】
従って、本発明のシステムは、公衆の行事における公衆の興味を質問する可能性を提供する。次いで、記憶された好み又はユーザプロファイルと、現在のフィードバック（要望、自発的評価又は暗示的フィードバック等）とが、考慮に入れられることができる。自身の居場所（例えば、ダンスフロア）によって規定されているグループ全体の興味が、当該システムによって、検出されることができる。当該システムの使用のために、ワイヤレスで、移動可能な端末装置であって、どのようにも身に着けられる又は担持される装置内に組み込まれることができる端末装置が、必要とされるのみである。
【図面の簡単な説明】
【００４３】
【図１】本発明によるユーザデータを決定するシステムを、図示している。
【符号の説明】
【００４４】
１    移動端末装置
２    中央ユニット
３    制御ユニット
４    メモリ（チップカード）
５    センサモジュール
６    インターフェース
７    腕時計
８    インターフェース
９    ＰＣ
１０  モニタ
１１  ユーザの提示
【図１】
2006519540.tif 000003
【国際調査報告】
2006519540.tif 000004
2006519540.tif 000005
2006519540.tif 000006